(57)【要約】      （修正有）【課題】額縁を壁面から降ろして作業することなく、展示したい絵画を容易に差し替えることができ、かつ万年カレンダーを付随した額縁を提供する。【解決手段】本考案に係る額縁は、枠本体１０と、絵画を収容する絵画収容枠体２０と、裏板３０とからなり、枠本体１０は、絵画を絵画収容枠体２０に収納したとき絵画を表示する窓孔１２と、カレンダー部材が収納されるカレンダー部材収納孔１３とを区分して形成する中枠１１を備え、絵画収納枠体２０は、上枠２１と下枠２３と、該上枠と該下枠の一方の端を連結する縦枠２２を備えかつ他方の端の間を開放して絵画取出口を備えることを特徴とする。【選択図】図１
0003202401.tif 000002
【実用新案登録請求の範囲】
【請求項１】
枠本体と、絵画を収容する絵画収容枠体と、裏板とからなる額縁であって、
前記枠本体は、前記絵画を前記絵画収容枠体に収納したとき前記絵画を表示する窓孔と、カレンダー部材が収納されるカレンダー部材収納孔とを区分して形成する中枠を備え、
前記絵画収納枠体は、上枠と下枠と、該上枠と該下枠の一方の端を連結する縦枠を備えかつ他方の端の間を開放して絵画取出口を備えることを特徴とする万能カレンダー付き額縁。
【請求項２】
前記裏板は、前記絵画取出口側に切り欠き部を備えることを特徴とする請求項１に記載の万能カレンダー付き額縁。
【請求項３】
前記カレンダー部材は、一年分の各月を整列表示する月表示部材と、曜日を整列表示する曜日表示部材と、一ヶ月分の日にちを整列表示する日表示部材と、所望の月を指示する月指示部材と、所望の日にちを指示する日指示部材とを備えることを特徴とする請求項１又は２に記載の万年カレンダー付き額縁。
【請求項４】
さらに、前記日指示部材を摺動可能に収容して所望の日にちを指示することを可能にした日指示用ガイドを備えることを特徴とする請求項１ないし３のいずれか１項に記載の万能カレンダー付き額縁。
【請求項５】
前記下枠は、上面に溝を備えるとともに、前記絵画取出口に側壁を立設していることを特徴とする請求項１ないし４のいずれか１項に記載の万年カレンダー付き額縁。
【考案の詳細な説明】
【技術分野】
【０００１】
本考案は、額縁、特に万年カレンダー付きで絵替り自在の額縁に関する。
【背景技術】
【０００２】
一般に、カレンダーは日常生活に欠かせないものであり、毎年新しいものと取り替えて、壁に掛けたり卓上に置いたりして使用する。他方、絵画は額縁に収納して部屋を飾るために壁に掛けたり卓上に置いたりして使用する。カレンダーと絵画は独立して配置されることが多い。その理由として、カレンダーと絵画とが一体化されたとしても、従来の年替わりカレンダーでは、毎年、使用者自身の嗜好に合ったものを求めることが難しいことにある。また、絵画に直接日付を印刷した場合、該当年以外に使用者自身の好みの絵画は使用することができない。他方、カレンダー付きの絵画を額縁に収納して使用する場合、絵画の入れ替え時に逐一壁面から額縁を取り外し、背面板を取り外して絵画を入れ替えた後に再び閉じて壁面にかけ直す必要があり、手間がかかるという問題もある。
【０００３】
上記の問題を解決するカレンダーとして、一つのカレンダーを毎年使用できる、いわゆる万年カレンダーがある。万年カレンダーは、曜日をずらしたり、曜日と日の組み合わせを変えたりすることにより暦に対応できるように構成している。しかしながら、従来の万年カレンダーは単に毎年使用できるというに留まり、カレンダーとしての使い勝手が悪く、部屋の装飾という観点からは無味な意匠が多いという問題がある。さらに、使用者個人や家族に関する誕生日や記念日等の予定については、日付を赤丸で囲う等して手を加える必要があるが、赤丸等を加えるとカレンダーの見栄えが損なわれるという問題もある。
【０００４】
カレンダーと一体化した額縁は、種々提案されている。特許文献１に係る考案は、額縁の上側内部にカレンダーの留め金保持部を設け、カレンダー留め金を差込み保持し、額にカレンダー又は写真を入れ、額縁の下側より下にカレンダー部分を垂らすようにしたカレンダー額縁である。特許文献２に係る考案は、カレンダーの表紙及び各様の全紙を、市場規格の額絵に合致させてその裏面に絵画を印刷し、使用済みの各様裏面の絵画を収納飾り付ける額縁と一体となって構成された額縁付カレンダーである。特許文献３に係る考案は、表面に暦と絵を表示した紙板よりなるカレンダーの絵の前面に当接して額縁板を設けた額縁付きカレンダーである。特許文献４に係る発明は、カレンダーの月日部分の上方には、バック部と開口部と掛け部の設けられた額縁が設けられ、額縁の中には違う絵柄の絵が入った額縁カレンダーである。特許文献５に係る考案は、自分で絵を描いたり押し花を貼り付けたりすることができるスペースを囲む枠を設けた書画用紙部と、１月分又は数カ月分の暦を表示したカレンダー本体部とを一体化し、且つ書画用紙部及びカレンダー本体部における月ごとの各暦をそれぞれ別々に切り離し可能とするミシン目を設けたカレンダー用紙の上に、カレンダー用紙よりも小さくてカレンダー用紙におけるカレンダー本体部が外側にはみ出すことになる大きさの額縁形表紙体を重ね合わせて両者の一端を綴じ合わせることにより、その額縁形表紙体に穿設した窓穴からカレンダー用紙における書画用紙部の枠の中に描いた絵などを覗き見可能になすとともに、その額縁形表紙体における表面部材と裏面部材の間にカレンダー用紙から切り離した書画用紙部や任意の絵ハガキや写真等を差し込み可能なカード保持部を設けたカレンダーである。特許文献６に係る考案は、上下の横枠骨と左右の縦枠骨とからなる矩形の枠体にカレンダーを納め、カレンダー板に月表示窓と日表示窓と曜日表示窓とを設けたカレンダー付き額縁である。特許文献７に係る考案は、枠体の上部略半分に額縁状の飾り部を形成するとともに、下部略半分に４本の横棧をそれぞれ平行に所定間隔で離間して設け、該横棧間にそれぞれ数字を表示した板体からなる所定面積の小片を着脱自在に介在させてなるカレンダー部を一体形成して構成した万年カレンダーである。
【先行技術文献】
【特許文献】
【０００５】
【特許文献１】実開平２−１１３５８号公報
【特許文献２】実開平４−６０４６９号公報
【特許文献３】実開平１−６７０７１号公報
【特許文献４】特開平８−２４４３８２号公報
【特許文献５】実用新案登録第３０５７０００号公報
【特許文献６】実開昭６３−６６９７１号公報
【特許文献７】特開平６−２３７７号公報
【考案の概要】
【考案が解決しようとする課題】
【０００６】
しかしながら、特許文献１ないし５の考案又は発明は、カレンダーと額縁を一体化したものであるものの、カレンダーは新たな該当年のものを毎年取り替える必要がある。特許文献６の考案は、万年カレンダーとして使用できるものの、使用者個人や家族に関する誕生日や記念日等の予定については備忘的な機能が備わっていない。特許文献７に係る考案は、絵画の入れ替え時に逐一壁面から額縁を取り外し、背面板を取り外して絵画を入れ替えた後に再び閉じて壁面にかけ直す必要があり、手間がかかるという問題がある。本考案は、このような問題に鑑み、額縁を壁面から降ろして作業することなく、展示したい絵画を容易に差し替えることができ、かつ万年カレンダーを付随した額縁を提供することを目的とする。
【課題を解決するための手段】
【０００７】
本考案に係る額縁は、枠本体と、絵画を収容する絵画収容枠体と、裏板とからなる額縁であって、枠本体は、絵画を絵画収容枠体に収納したとき絵画を表示する窓孔と、カレンダー部材が収納されるカレンダー部材収納孔とを区分して形成する中枠を備え、絵画収納枠体は、上枠と下枠と、該上枠と該下枠の一方の端を連結する縦枠を備えかつ他方の端の間を開放して絵画取出口を備えることを特徴とする。裏板は、絵画取出口側に切り欠き部を形成すると絵画を差し替えするのに好適である。また、下枠は、上面に溝を備えるとともに、絵画取出口に側壁を立設すると、絵画収納枠体に収容された絵画が飛び出すのを防ぐことができる。
【０００８】
カレンダー部材は、一年分の各月を整列表示する月表示部材と、曜日を整列表示する曜日表示部材と、一ヶ月分の日にちを整列表示する日表示部材と、所望の月を指示する月指示部材と、所望の日にちを指示する日指示部材とを備えると万年カレンダーとして使用することが可能になる。さらに、日指示部材を摺動可能に収容して所望の日にちを指示することを可能にした日指示用ガイドを備えると備忘機能が高まる。  
【考案の効果】
【０００９】
本考案に係る額縁によれば、所望の絵画の差し替えが自在であり、万年カレンダーを一体化することにより、１２ヶ月の季節感と絵画の趣を視覚的に楽しむことができるという効果がある。
【図面の簡単な説明】
【００１０】
【図１】本考案に係る額縁の後方から見た分解斜視図である。
【図２】本考案に係る額縁の主要な部材を示す図である。
【図３】本考案に係る額縁の後方から見た斜視図である。
【図４】本考案に係る額縁の正面図である。
【図５】本考案に係る額縁の背面図である。
【図６】本考案に係る額縁の右側面図（ａ）と左側面図（ｂ）である。
【図７】本考案に係る額縁の正面図中央横断面図である。
【図８】本考案に係る額縁のカレンダー部材を示す図である。
【図９】日指示部材を示す図である。
【考案を実施するための最良の形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例１を図面を参照して詳細に説明する。
【００１３】
図１は、本考案に係る額縁の後方から見た分解斜視図で、図２は本考案に係る額縁の主要な部材を示す図である。そして、図３は、本考案に係る額縁の後方から見た斜視図である。図１ないし３に示すとおり、額縁１は、概して、枠本体１０と、絵画収納枠体２０と、裏板３０とからなる。枠本体１０は、額縁１に絵画を収納したとき絵画が表示される窓孔１２と、カレンダー部材４１ないし４７が収納されるカレンダー部材収納孔１３を区分して形成する中枠１１を備えている。絵画収納枠体２０は、上枠２１と、下枠２３と、上枠２１と下枠２３の一方の端を連結する縦枠２２を備え、他方の端の間は開放されて絵画を着脱する絵画取出口２４を備え、さらに下枠２３の下方にカレンダー収納孔の裏板となるカレンダー部裏板２５とを備える。裏板３０は矩形の形状の板であり、絵画を収納する窓孔を塞ぐ裏板である。絵画収納枠２０と裏板３０とが枠本体１０に取り付けられることで、額縁１の背面に絵画を収納する、いわば収納箱が形成される。裏板３０は、指が絵画のシートを掴みやすいようにアール状等に切断して切り欠き部３１を備えると好適である。
【００１４】
図４を参照する。図４は、本考案に係る額縁の正面図である。図４に示すとおり、正面から見ると、枠本体１０に、額縁１に絵画を収納したとき絵画が表示される窓孔１２と、カレンダー部材４１ないし４７が収納されるカレンダー部材収納孔１３を区分して形成する中枠１１を備えている。中枠１１の下方に設けたカレンダー部分は七段からなり、月表示部材４１と、月指示部材４２と、第一の日指示用ガイド４３と、第一の日表示部材４４と、曜日表示部材４５と、第二の日表示部材４６と、第二の日指示用ガイド４７とから構成される。第一の日表示部材４４は、１ないし１５日までを示し、第二の日表示部材４６は、１６ないし２８日を一体化した部材と、月別の日数の多少に応じて、２９日、３０日、３１日は個別に切り離した部材としている。カレンダー部分は、日にちを印字したスティック状の第一の日表示部材４４又は第二の日表示部材４６を摺動させて、曜日表示部材４５に示された曜日と容易に合わせることができるので万年カレンダーとして活用することができる。
【００１５】
図５を参照する。図５は、本考案に係る額縁の背面図である。前述したとおり、絵画収納枠２０と裏板３０とが枠本体１０に取り付けられている。また、図５に示すとおり、裏板３０は、アール状等に切断して切り欠き部３１を備えると、利用者は指で絵画のシートを掴みやすくなる。
【００１６】
図６を参照する。図６は、本考案に係る額縁の右側面図（ａ）と左側面図（ｂ）である。図６（ａ）に示すとおり、右側面から見ると、絵画収納枠２０と裏板３０とが枠本体１０に取り付けられることで、額縁１の背面に絵画を収納する、いわば収納箱が形成されることが理解できるであろう。なお、下枠２３は、絵画取出口側に、側壁２３１を設けて絵画が飛び出さないようにするとよい。このような箱構造にすることにより、カレンダー用の１２ヶ月分の絵画を、各月ごとに差し替え、額縁前面の窓孔１２から展覧できる。
【００１７】
図７を参照する。図７は、本考案に係る額縁１の正面図中央横断面図である。図６（ａ）と同様に、絵画収納枠２０と裏板３０とが枠本体１０に取り付けられることで、額縁１の背面に絵画を収納する、いわば収納箱が形成されることが理解できるであろう。また、下枠２３は、絵画取出口側に側壁２３１を設け、縦枠２２に向かって溝２３０が設けられている。この溝に絵画が載置されて収納される。さらに、側壁２３１により絵画が飛び出すことを防止することができる。
【００１８】
図８を参照する。図８は、本考案に係る額縁のカレンダー部材を示す図である。図４において説明したとおり、中枠１１の下方に設けたカレンダー部分は七段からなり、月表示部材４１と、月指示部材４２と、第一の日指示用ガイド４３と、第一の日表示部材４４と、曜日表示部材４５と、第二の日表示部材４６と、第二の日指示用ガイド４７とから構成される。月表示部４１は月を印字したスティック状に形成された部材で底面の中央に溝を備える。月指示部材４２は、月表示部４１の底面の溝の凹部に対応する凸部を備えた略角材である。月表示部４１の凸部が月表示部４１の底面の溝を摺動し、所望の月を指示することができる。第一の日指示用ガイド４３と第二の日指示用ガイド４７はいずれもスティック状に形成された部材で、略同じ寸法であって、空洞があり、正面に日指示部材５０が摺動する溝が設けられている。日表示部は、日にちを印字したスティック状の第一の日表示部材４４と第二の日表示部材４６の二つの部材からなる。第一の日表示部材４４は、１ないし１５日までを示し、第二の日表示部材４６は、１６ないし２８日を一体化した部材と、月別の日数の多少に応じて、２９日、３０日、３１日が個別に切り離した部材とから構成される。曜日表示部材４５はスティック状に形成された部材で上面と底面の中央に溝を備える。第一の日表示部材４４は、その底面に、曜日表示部４１の上面の溝の凹部に対応する凸部を備えた略角材である。第二の日表示部材４６は、その上面に、月表示部４１の底面の溝の凹部に対応する凸部を備えた略角材である。このように、第一の日表示部材４４又は第二の日表示部材４６を摺動させて、曜日表示部材４５に示された曜日と容易に合わせることができるので万年カレンダーとして活用することができる。後述するとおり、日指示部材５０は、把手５１のついたスティックを摺動させて所望の日に合わせることができる。上述したとおり、第一の日指示用ガイド４３と第二の日指示用ガイド４７には摺動溝があるが、覚えておきたいあるいは注意したい日の備忘として指し示すことができるように、摺動溝の下部又は上部にピンを挿すようにしてもよい。また、第一の日表示部材４４及び第二の日表示部材４６のそれぞれの表示部分の左側には、所望の曜日に合わせるための摺動を容易にするために把手を設けるとよい。
【００１９】
図９を参照する。図９は、日指示部材５０を示す図である。図９（ａ）に示すとおり、日指示部材５０は、把手５１と基材５２とからなる。基材５２は長辺と短辺との直方体の形状である。図９（ｂ）ないし（ｄ）は、第一の日指示用ガイド４３のガイド孔に日指示部材５０を取り付ける手順を示している。図９（ｂ）は、日指示部材５０を第一の日指示用ガイド４３のガイド孔に差し込む前の状態を示している。このとき、基材５２を短辺がガイド孔の幅方向に差し込む。図９（ｃ）は、日指示部材５０を第一の日指示用ガイド４３のガイド孔に差し込んだ状態を示す。この状態で、把手５１を９０度左右のいずれかに回動させると図９（ｄ）の状態になり、把手５１のついた日指示部材５０をスライドさせて曜日に合わせることができる。
【００２０】
以上、本考案に係る額縁における好ましい実施形態を図示して説明してきたが、本考案の技術的範囲を逸脱することなく種々の変更が可能であることは理解されるであろう。
【産業上の利用可能性】
【００２１】
本考案に係る額縁は、額縁のみならずカレンダーとしても広く利用することができる。
【符号の説明】
【００２２】
１  額縁
１０  枠本体
１１  中枠
１２  窓孔
１３  カレンダー部材収納孔
２０  絵画収納枠体
２１  上横枠
２２  縦枠
２３  下横枠
２３０  溝
２３１  側壁
２４  絵画取出口
２５  カレンダー部裏板
３０  裏板
３１  切り欠き部
４１  月表示部材
４２  月指示部材
４３  第一の日指示用ガイド
４４  第一の日表示部材
４５  曜日表示部材
４６  第二の日表示部
４７  第二の日指示用ガイド
５０  日指示部材
５１  把手
５２  基材
【図１】
0003202401.tif 000003
【図２】
0003202401.tif 000004
【図３】
0003202401.tif 000005
【図４】
0003202401.tif 000006
【図５】
0003202401.tif 000007
【図６】
0003202401.tif 000008
【図７】
0003202401.tif 000009
【図８】
0003202401.tif 000010
【図９】
0003202401.tif 000011
【手続補正書】
【提出日】平成27年11月17日(2015.11.17)
【手続補正１】
【補正対象書類名】実用新案登録請求の範囲
【補正対象項目名】全文
【補正方法】変更
【補正の内容】
【実用新案登録請求の範囲】
【請求項１】
枠本体と、絵画を収容する絵画収容枠体と、裏板とからなる額縁であって、
前記枠本体は、前記絵画を前記絵画収容枠体に収納したとき前記絵画を表示する窓孔と、カレンダー部材が収納されるカレンダー部材収納孔とを区分して形成する中枠を備え、
前記絵画収納枠体は、上枠と下枠と、該上枠と該下枠の一方の端を連結する縦枠を備えかつ他方の端の間を開放して絵画取出口を備えることを特徴とする万年カレンダー付き額縁。
【請求項２】
前記裏板は、前記絵画取出口側に切り欠き部を備えることを特徴とする請求項１に記載の万年カレンダー付き額縁。
【請求項３】
前記カレンダー部材は、一年分の各月を整列表示する月表示部材と、曜日を整列表示する曜日表示部材と、一ヶ月分の日にちを整列表示する日表示部材と、所望の月を指示する月指示部材と、所望の日にちを指示する日指示部材とを備えることを特徴とする請求項１又は２に記載の万年カレンダー付き額縁。
【請求項４】
さらに、前記日指示部材を摺動可能に収容して所望の日にちを指示することを可能にした日指示用ガイドを備えることを特徴とする請求項１ないし３のいずれか１項に記載の万年カレンダー付き額縁。
【請求項５】
前記下枠は、上面に溝を備えるとともに、前記絵画取出口に側壁を立設していることを特徴とする請求項１ないし４のいずれか１項に記載の万年カレンダー付き額縁。